(57)【要約】【課題】  屋根パネルに、パネル厚増大を生ずることなく通気性を付与し、断熱層を遮熱反射層で保護して、パネルの断熱機能向上を達成する。【解決手段】  断熱層２Ｂの中央及び両側に、野地垂木兼用の縦桟２Ｗ，２Ｗ´を一体固着し、断熱層２Ｂ及び縦桟２Ｗ，２Ｗ´で形成した平坦表面に、条溝Ｇ群及び肉厚部２Ｔを配置し、該条溝Ｇ及び肉厚部２Ｔの外表面に遮熱反射層２Ｃを配置し、屋根下地材２Ａを遮熱反射層２Ｃ上面から断熱層２Ｂに一体化固定して、通気性及び輻射熱排除機能を備えた屋根複合パネルとする。【選択図】    図１
2010071041.tif 000002
【特許請求の範囲】
【請求項１】
断熱層（２Ｂ）と屋根下地材（２Ａ）とを遮熱反射層を介して層着一体化した屋根複合パネル（１）であって、断熱層（２Ｂ）は、層着面（２Ｓ）に、通気用条溝（Ｇ）と、肉厚部（２Ｔ）とを、交互に、平行に備えると共に、幅中央部及び両側縁部に、断熱層（２Ｂ）と同厚の縦桟（２Ｗ，２Ｗ´）を一体化し、断熱層（２Ｂ）の層着面（２Ｓ）には、縦桟（２Ｗ，２Ｗ´）面から条溝（Ｇ）面、及び肉厚部（２Ｔ）面に亘って、パネル全幅（ＡＷ）に遮熱反射層（２Ｃ）を被覆配置し、遮熱反射層（２Ｃ）の上面から、パネル全幅に亘る屋根下地材（２Ａ）を面当接一体化した通気性屋根複合パネル。
【請求項２】
条溝（Ｇ）の幅と、肉厚部（２Ｔ）の幅と、断熱層（２Ｂ）中央部の縦桟（２Ｗ）の幅とが等幅であり、断熱層側縁の縦桟（２Ｗ´）の幅が、中央部の縦桟（２Ｗ）の幅の１／２である、請求項１に記載の屋根複合パネル。
【請求項３】
遮熱反射層（２Ｃ）がプラスチック樹脂シート（２０ａ）上に突起（２０ｂ）群を付設した芯材（２０）の２枚を、突起（２０ｂ）群面を対向して層着し、表側のシート（２０ａ）面にアルミ箔（２０ｃ）を層着した遮熱反射シート（２Ｃ）である、請求項１又は２に記載の屋根複合パネル。
【請求項４】
遮熱反射シート（２Ｃ）は、厚さ（Ｔ２）が８mmで、断熱層（２Ｂ）の５〜７mm厚に相当する断熱効果を有する、請求項３に記載の屋根複合パネル。
【請求項５】
断熱層（２Ｂ）は、厚さ（Ｔ３）が１３５mmの押出法ポリスチレンフォーム板であり、条溝（Ｇ）の深さ（Ｇｄ）が１５mmであり、条溝（Ｇ）の全面積がパネル面積の１／２である、請求項１乃至４のいずれか１項に記載の屋根複合パネル。
【請求項６】
請求項１に記載の屋根複合パネル（１）を張設した木造外張り断熱屋根構造であって、屋根複合パネル（１）を、軒部（８）から棟部（７）へ条溝（Ｇ）群による通気可能に、小屋組みの屋根面に配置し、各パネル（１）の縦桟（２Ｗ，２Ｗ´）を軒桁（２１Ｅ）、母屋（２２Ｂ）、棟木（２２Ａ）に固定した木造外張り断熱屋根構造。
【請求項７】
棟部用パネル（１Ａ）は、屋根下地材（２Ａ）を下端部で相欠け段差（ｄ１）突出させて準備し、中間部用パネル（１Ｂ）は、屋根下地材（２Ａ）を、上端部で相欠け段差（ｄ１）入り込ませ、下端部で相欠け段差（ｄ１）突出させて準備し、軒部用パネル（１Ｃ）は、屋根下地材（２Ａ）を、上端部で相欠け段差（ｄ１）入り込ませ、下端部で大段差（ｄ２）突出させて準備し、棟部用パネル（１Ａ）、中間部用パネル（１Ｂ）及び軒部用パネル（１Ｃ）を、上下に相欠け接合すると共に、軒部用パネル（１Ｃ）の屋根下地材（２Ａ）の下端を鼻隠し（２３Ａ）上に固定して、鼻隠し（２３Ａ）とパネル断熱層端面（Ｄｓ）との間に空気流入間隔（ａｄ）を配置した、請求項６に記載の木造外張り断熱屋根構造。
【発明の詳細な説明】
【技術分野】
【０００１】
本発明は、木造建物の屋根を外張り断熱構造に構築するための通気性屋根パネルと、該屋根パネルで構築した断熱構造に関するものであり、木造家屋建築の技術分野に属するものである。
【背景技術】
【０００２】
木造建物にあっても、省エネルギー住宅とするため、屋根を通気性外断熱被覆する工法は、例えば従来例１，２，３で挙げる如く、既に提案されている。
図６（Ａ）は、従来例１であって、特許文献１として挙げたものであり、屋根垂木間に、断熱材と、断熱材への熱付加を輻射熱反射作用で軽減するための遮熱材とを重ねて配置するものである。
【０００３】
即ち、従来例１は、図６（Ａ）に示す如く、屋根垂木の側面下端にパネル受材を取付け、屋根垂木間のパネル受材によって支承した断熱材上面に、上面シート、中間シート、下面シートを、空気層空間を保って一体化した、輻射熱反射作用を奏する遮熱材を載置し、遮熱材の上面シートの突出側縁を折曲して垂木側面に沿わせて、上面シートと垂木上面との間にも空気層を形成し、垂木上面に防風シート及び屋根下張材を固着したものである。
そして、屋根面からの加熱は、遮熱材が輻射熱を反射して空気層を流れる空気で放出し、断熱材への加熱付加は、遮熱材による輻射熱除去によって抑制するため、断熱材は従来の屋根断熱材より薄く出来、断熱材の蓄熱も軽減出来るようにしたものである。
【０００４】
また、図６（Ｂ）に示す従来例２は、特許文献２に開示された通気屋根パネルであって、該パネルは、図６（Ｂ）に示す如く、縦材としての垂木と、横材としての通風口を配置した継ぎ材とで格子枠を形成し、該格子枠内には断熱材を充填し、断熱材上面には、多数の突起を間隔を開けて突出したエンボス加工の断熱シートを載置し、格子枠の上面に野地板を固定した屋根パネルであり、野地板下面に当接した突起群の隙間、及び継ぎ材の通風口を介して、空気をパネル内に貫流させるものである。
【０００５】
また、図６（Ｃ）に示す従来例３は、特許文献３に開示された、屋根瓦を支持するための野地パネルであって、下側面材上に断熱材を配置し、断熱材の上面に通気空間を保持して上側面材を配置し、下側面材と上側面材とを、両側縁及び中央の垂木で一体化したものである。
【特許文献１】特開２００３−１７１９９６号公報
【特許文献２】特開平８−２９１６００号公報
【特許文献３】特開平５−２３０９５３号公報
【発明の開示】
【発明が解決しようとする課題】
【０００６】
図６（Ａ）に示す従来例１の通気屋根構造は、断熱材の上面を輻射熱反射機能を備えた遮熱材で覆うため、断熱材への加熱負荷、及び蓄熱が軽減出来、断熱材も、従来の屋根断熱材より薄く出来る利点を備えているが、垂木へのパネル受材の設置作業、垂木間への断熱材の支持作業、断熱材上面への遮熱材の配置作業、遮熱材上面に空気層を保っての防風シート及び屋根下地材の固定作業、と使用部材及び施工工数が多い。
しかも、遮熱材は、下面シート、中間シート、上面シートから成る、変位し易いハニカム構造であるため、所期の輻射熱反射作用を奏する様に、垂木間に配置することは、注意を要する作業であり、通気性屋根の構築は、人手を要する煩雑な作業である。
【０００７】
また、図６（Ｂ）に示す従来例２の通気屋根構築手法は、垂木を組み込んだ通気屋根パネルを採用するため、施工現場での屋根構築は、工数が少なくて合理化出来るが、通気屋根パネルの製作自体が、垂木と予め通風口を切欠した継ぎ材とでの格子枠の製作、断熱材の格子枠内への充填、エンボス加工で突起群を形成した断熱シートの断熱材上面への配置、野地板の垂木への打付けによる被覆固定、とパネル自体の製作工数が多く、通気屋根パネル自体の製作が煩雑である。
しかも、継ぎ材は通気口以外の部位が空気流の障害となること、及び断熱シートの突起群は空気の平滑な流れの障害となることにより、通気屋根パネルのパネル内での空気のスムーズな貫流は期待出来ない。
また、必要厚さの断熱材の上面に断熱シートを載置して通気構造を形成するため、パネル厚が大となり、屋根厚が大となって、建物の高さ制限の下では、階高が小となり、居住空間を圧迫する問題がある。
【０００８】
また、図６（Ｃ）に示す従来例３の野地パネルは、従来例２同様に、垂木一体化物であるため、施工現場での屋根構築は合理化出来るが、下側面材が天井板であるため、室内から小屋組みの露見する建物に限定される。
また、必要厚さの断熱材の上面に通気空間を形成するため、従来例２同様に、パネル厚が大となる。
本発明は、これら従来例１〜３の通気断熱屋根の、施工上、パネル製作上の問題点を、一挙に解決又は改善するものであって、製作が容易で、小屋組み屋根への適用性に優れ、且つ、均質生産品として準備出来る、新規な断熱通気性の屋根複合パネルを採用することにより、木造建物の通気断熱屋根を合理的に構築出来る技術を提供するものである。
【課題を解決するための手段】
【０００９】
本発明の屋根複合パネルは、例えば図１に示す如く、断熱層２Ｂと屋根下地材２Ａとを遮熱反射層を介して層着一体化した屋根複合パネル１であって、断熱層２Ｂは、層着面２Ｓに、通気用の条溝Ｇと、肉厚部２Ｔとを、交互に、平行に備えると共に、幅中央部及び両側縁部に、断熱層２Ｂと同厚の縦桟２Ｗ，２Ｗ´を一体化し、断熱層２Ｂの層着面２Ｓには、縦桟２Ｗ，２Ｗ´面から条溝Ｇ面、及び肉厚部２Ｔ面に亘って、パネル全幅ＡＷに遮熱反射層２Ｃを被覆配置し、遮熱反射層２Ｃの上面から、パネル全幅に亘る屋根下地材２Ａを面当接一体化したものである。
【００１０】
この場合、断熱層２Ｂとしては、屋根下地材２Ａに遮熱反射層２Ｃと一体化層着出来る保形性を備えた板状断熱板であり、且つ次世代省エネ基準に於ける断熱基準（１地区の北海道での木造気密住宅での熱抵抗値は４．３ｍ２ｋ／ｗ）を満たせば良く、ポリスチレンフォーム、硬質ウレタンフォーム等の、ＪＩＳＡ９５１１の発泡プラスチック系断熱材であり、典型的には、厚さＴ５が１３５mmの押出法ポリスチレンフォーム（熱伝導率：０．０２４kcal／ｍｈ℃以下）である。
【００１１】
また、通気用の条溝Ｇ群は、空気流ａの最低限の上昇貫流を保証し、且つ断熱欠損を最小限に抑える深さにカッターで切欠配置すれば良く、典型的には、条溝Ｇは、深さＧｄが１５mm、幅ａ１が４５．５mmで、肉厚部２Ｔの幅ａ１と等幅である。
この場合、断熱層２Ｂの全面積に対して、条溝Ｇ群の配置面積が１／２となるため、断熱層２Ｂの層厚に対する断熱欠損は、条溝Ｇの深さＧｄの１／２寸法となる。
そのため、所定基準厚の断熱層２Ｂに対する所定通気機能を奏する深さの条溝Ｇの配置面積は、断熱欠損抑制の面と、通気冷却作用面とを配慮して決定すれば良い。
【００１２】
また、縦桟２Ｗ，２Ｗ´は、垂木としての機能を保持し、且つ断熱層２Ｂと同厚で一体化する木材であれば良い。
また、屋根下地材２Ａは、屋根Ｒの野地板としての最低限の強度、耐衝撃性、加工性を備えた薄剛板であれば良く、典型的には、軽量（１０kg／ｍ２）、高強度（２４０kgf／cm２）で１２mm厚の構造用合板（ＪＡＳＳ規格品）である。
また、遮熱反射層２Ｃは、表面が輻射熱反射機能を奏し、断熱層２Ｂの層着面２Ｓの肉厚部２Ｔ上面から条溝Ｇ内周面に亘って屈曲張設出来る遮熱反射シートであれば良い。
【００１３】
従って、本発明の屋根複合パネル１は、縦桟２Ｗ，２Ｗ´が垂木機能を奏しているため、小屋組みへの屋根施工が、母屋２２Ｂ等への、上面からの縦桟２Ｗ，２Ｗ´への釘等を介した単純な固定作業で容易となり、屋根パネル１の断熱層２Ｂが屋内を外断熱保護し、しかも断熱層２Ｂ表面の各通気用条溝Ｇ群では、屋根面からの加熱を遮熱反射シート２Ｃが輻射熱放出するため、断熱層２Ｂへの加熱付加、及び蓄….熱が軽減出来、必要厚さの断熱層２Ｂに条溝Ｇ群を切欠配置しても、条溝Ｇの切欠による断熱層の断熱欠損を補償する。
【００１４】
即ち、本発明の屋根複合パネル１は、所定基準必要厚さを有する断熱層２Ｂに、通気層としての必要深さの条溝Ｇを切欠して断熱層の断熱欠損を最小限に抑制し、条溝Ｇの切欠で生じた断熱欠損を遮熱反射層２Ｃが補償するため、従来の断熱層上に通気層を配置するタイプより、パネル厚が薄く出来て、屋根面からの過加熱も、好適に外部へ排除出来る、且つ、垂木を一体的に備えた施工性にも優れる屋根パネルとなる。
【００１５】
また、本発明の屋根パネル１は、図１に示す如く、条溝Ｇの幅と、肉厚部２Ｔの幅と、断熱層２Ｂ中央部の縦桟２Ｗの幅とが等幅であり、断熱層側縁の縦桟２Ｗ´の幅が、中央部の縦桟２Ｗの幅の１／２であるのが好ましい。
この場合、縦桟２Ｗ，２Ｗ´は、断熱層２Ｂと一体となっているため、屋根複合パネル１の母屋２２Ｂへの固定は、パネル１の屋根下地材２Ａから縦桟２Ｗ，２Ｗ´部での、母屋２２Ｂ、棟木２２Ａ、軒桁２１Ｅへの長ねじ（図示せず）の打込みで強固に固定出来、各パネル１の並列当接配置により、パネル側縁の縦桟２Ｗ´もパネル中央の縦桟２Ｗと同幅形態となって、屋根面は均斉強度となる。
【００１６】
従って、通気用の条溝Ｇは、非条溝部、即ち肉厚部２Ｔ、と等幅で屋根面の全面に亘っての均等配置となるため、条溝Ｇの配置による断熱層２Ｂの断熱欠損が、条溝深さ（標準：１５mm）の１／２欠損（標準：７．５mm）に抑制出来、遮熱反射層２Ｃでの断熱欠損の補償が容易となり、通気による屋根面の冷却機能、及び断熱層２Ｂへの加熱・蓄熱の軽減機能も均等配分となり、屋根面の過加熱からの保護、及び家屋内の外断熱保護が、パネル１の張設屋根面の全面に亘って平準化状態で達成出来る。
【００１７】
また、本発明屋根複合パネル１にあっては、遮熱反射層２Ｃは、図３（Ｄ），（Ｅ）に示す如く、プラスチック樹脂シート２０ａ上に突起２０ｂ群を付設した芯材２０の２枚を、突起２０ｂ群面を対向して層着し、表側のシート２０ａ面にアルミ箔２０ｃを層着した遮熱反射シート２Ｃであるのが好ましい。
この場合、遮熱反射シート２Ｃは、内部が各突起２０ｂ群の当接形態となって、空気層を突起２０ｂ群内、突起２０ｂ間に介在する形態となるものであり、表裏両面にアルミ箔層を備えた酒井化学工業（株）製のラミパックＳＤ−Ｗ（商品名）の採用も可能であり、ラミパックＳＤ−Ｗ（商品名）は、軽量（３３５ｇ／ｍ２）、高遮熱性、高強度（引張強度３．９Ｎ／mm）で、熱輻射の侵入を阻止し、輻射熱のカット率が高く、耐久性に優れ、カッターや鋏で容易に切断出来る。
【００１８】
従って、遮熱反射層２Ｃは、内部に空気層を介在するため、表面のアルミ箔が輻射熱反射作用を発揮し、条溝Ｇ内の輻射熱を外部に放出すると共に、遮熱反射層２Ｃ自体も介在空気層によって断熱機能を発揮するため、必要厚さの断熱層２Ｂに、十分な通気機能を奏する深さＧｄ（標準：１５mm）の条溝Ｇ群を切欠し、条溝Ｇ群の切欠による断熱欠損を生じても、条溝Ｇ群による断熱欠損の補償が、夏季も冬季も好適に達成出来る。
【００１９】
また、遮熱反射シート２Ｃは、厚さＴ２が８mmで、断熱層２Ｂの５〜７mm厚に相当する断熱効果を有するものが好ましい。
板厚Ｔ２が８mmの該遮熱反射層２Ｃは、熱伝導率が０．０３２kcal／ｍｈ℃（０．０３８ｗ／ｍｋ）なので、熱抵抗が０．２５kcal／ｍｈ℃（０．２１ｗ／ｍｋ）であり、押出ポリスチレンフォーム（熱伝導率：０．０２４kcal／ｍｈ℃）では６mm厚の断熱効果を有しているため、パネル１の縦桟２Ｗ，２Ｗ´上面及び肉厚部２Ｔ上面では屋根面からの伝導熱を遮断し、条溝Ｇ（標準深さ：１５mm）内では輻射熱反射と伝導熱遮断を果たす。
従って、条溝Ｇ群の配置面積（標準：全面積の１／２）を適切に選定することにより、断熱層２Ｂの断熱欠損の完全補償が出来、必要通気層を備えた、夏季の外部からの断熱にも、冬季の屋内からの断熱にも好適な屋根パネルが得られる。
【００２０】
従って、遮熱反射層２Ｃは、条溝Ｇ内では輻射熱反射作用及び伝導熱遮断作用を奏し、縦桟２Ｗ，２Ｗ´上面及び肉厚部２Ｔ上面では、断熱層２Ｂの５〜７mm厚に相当する伝導熱遮断作用を奏し、断熱層２Ｂの条溝Ｇ群を切欠したための断熱欠損を補償し、屋根複合パネル１は、パネル厚Ｔ３（標準：１５５mm）の増大を抑制して十分な通気機能を具備したものとなる。
【００２１】
また、本発明の屋根複合パネル１にあっては、断熱層２Ｂは、厚さＴ３が１３５mmの押出法ポリスチレンフォーム板であり、条溝Ｇの深さＧｄが１５mmであり、条溝Ｇの全面積がパネル面積の１／２であるのが好ましい。
現行の、平成１１年告示の次世代省エネルギー基準に於ける断熱基準（北海道地区）では、木造の気密住宅の熱抵抗値は４．３ｍ２ｋ／ｗで、押出法ポリスチレンフォーム板では、必要厚さが１２５mmであるが、本願の断熱層２Ｂは、押出法ポリスチレンフォーム板の１３５mmであり、図１（Ａ）に示す如く、等配分の条溝Ｇの全面積が、パネル面積の１／２であり、条溝Ｇの深さＧｄが１５mmであるため、断熱層２Ｂの断熱欠損は条溝Ｇの深さ１５mm（Ｇｄ）の１／２（７．５mm）となる。
【００２２】
従って、深さ１５mmの条溝Ｇを等配分した断熱層２Ｂの断熱欠損は７．５mm厚であり、１３５mm厚の断熱層２Ｂから断熱欠損を加味した断熱厚さは、１２７．５mm（１３５mm−７．５mm）であるため、施工基準厚（１２５mm）を満足するものとなる。
そのため、本発明の屋根複合パネル１は、遮熱反射層２Ｃとして、断熱機能の全く存在しない、輻射熱反射機能のみを備えた慣用のアルミ箔層着フィルムを採用しても、断熱基準を満たし、且つ、通気条溝Ｇ群内での遮熱反射層２Ｃの輻射熱排除を好適に発揮し、冬季にも夏季にも、必要断熱機能を発揮し、冷暖房の省エネルギー化を可能とする。
【００２３】
また、本願の木造外張り断熱屋根構造の発明は、本願の請求項１に記載の屋根複合パネル１を張設した木造外張り断熱屋根構造であって、図５に示す如く、屋根複合パネル１を、軒部８から棟部７へ条溝Ｇ群による通気可能に、小屋組みの屋根面に配置し、図４に示す如く、各パネル１の縦桟２Ｗ，２Ｗ´を軒桁２１Ｅ、母屋２２Ｂ、棟木２２Ａに固定したものである。
この場合、各パネル１の固定は、各パネル１の、上下接続は、断熱層２Ｂの衝合当接形態で、左右接続は、側縁の縦桟２Ｗ´の当接形態で、慣用の長ねじ、例えば、径５．５mm、長さ１８０mmの、サンコーテクノ（株）のコーススレッド（商品名）を、屋根下地材２Ａの上面か、野地垂木兼用の縦桟２Ｗ，２Ｗ´を貫通して軒桁２１Ｅ、母屋２２Ｂ、棟木２２Ａに打込めば良い。
【００２４】
従って、屋根複合パネル１は、工場生産の均質品として準備出来、且つ野地垂木を兼用する縦桟２Ｗ，２Ｗ´を備えているため、木造外張り断熱屋根構造は、単に屋根複合パネル１の小屋組み屋根への簡単な打設固定作業で施工出来て、均質で、信頼性の高い通気性外断熱屋根構造が得られる。
そして、屋根複合パネル１を張設した屋根面に対しては、各パネル１の当接線上に、慣用の気密テープ１４Ａを張って、屋根複合パネル１の上面に、慣用の防水シート９、屋根仕上材１０、を張設すれば良い。
【００２５】
そして、仕上がった屋根構造は、パネル左右接続部位では、半幅の縦桟２Ｗ´が２本合体するため、屋根強度が均斉となり、断熱層２Ｂも縦桟２Ｗ，２Ｗ´と下面が面一であるため、断熱層２Ｂの縦桟２Ｗ，２Ｗ´からの脱落は、棟木２２Ａ、母屋２２Ｂ、軒桁２１Ｅで阻止される。
そして、屋根面は、図５に示す如く、軒部８から棟部７へと、空気流ａが屋根面全面に均斉に貫流し、条溝Ｇ内では、屋根面からの日射熱を遮熱反射層２Ｃが輻射熱として、空気流ａによって棟部７から放出し、屋根面の過加熱による損傷を抑制し、断熱層２Ｂの蓄熱も軽減する外断熱屋根となる。
【００２６】
また、本発明の屋根構造にあっては、図３に示す如く、棟部用パネル１Ａは、屋根下地材２Ａを下端部で相欠け段差ｄ１突出させて準備し、中間部用パネル１Ｂは、屋根下地材２Ａを、上端部で相欠け段差ｄ１入り込ませ、下端部で相欠け段差ｄ１突出させて準備し、軒部用パネル１Ｃは、屋根下地材２Ａを、上端部で相欠け段差ｄ１入り込ませ、下端部で大段差ｄ２突出させて準備し、図５に示す如く、棟部用パネル１Ａ、中間部用パネル１Ｂ及び軒部用パネル１Ｃを、上下に相欠け接合すると共に、軒部用パネル１Ｃの屋根下地材２Ａの下端を鼻隠し２３Ａ上に固定して、鼻隠し２３Ａとパネル断熱層端面Ｄｓとの間に空気流入間隔ａｄを配置するのが好ましい。
【００２７】
この場合、鼻隠し２３Ａの上面には、図５に示す如く、屋根下地材２Ａの端部を載置する切欠Ｃ２３を配置しておけば、屋根下地材２Ａと鼻隠し２３Ａ上面と面一に固定出来、パネル１の上面への防水シート９、屋根仕上材１０の張設作業が容易となる。
従って、各屋根パネル１の上下の衝合接続は、屋根下地材２Ａの水平当接界面ｈｆ´と断熱層２Ｂの水平当接界面ｈｆとが相欠け段差ｄ１ずれるため、断熱層２Ｂの水平当接界面ｈｆは屋根下地材２Ａで保護され、各パネル１の水平相欠け接続部では、慣用の気密テープ１４Ａでの処理が不要となり、各パネル１相互の左右接続部のみに気密テープ１４Ａを張れば良くなり、パネル張設の作業性が向上する。
【００２８】
そして、軒部用パネル１Ｃは、屋根下地材２Ａの下端を大段差ｄ２（標準：３０mm）突出したため、図５に示す如く、大段差ｄ２突出寸法の先端からの１／２寸法（標準：１５mm）を鼻隠し２３Ａ上に載置して釘打ちするだけで、断熱層下端面Ｄｓと鼻隠し２３Ａの内側面との間に、大段差ｄ２の１／２寸法（標準：１５mm）の間隔ａｄが形成出来、パネル条溝Ｇ群内への空気流入間隔ａｄも、単なるパネル１の打設固定作業で簡単、且つ適正に形成出来、屋根構築の作業性が向上する。
【発明の効果】
【００２９】
本発明の屋根複合パネル１は、小屋組みの棟木２２Ａ、母屋２２Ｂ、軒桁２１Ｅ上に載置して各パネル１を当接配置し、縦桟２Ｗ，２Ｗ´部位を、長ねじで小屋組みに固定するだけで木造建物の屋根を通気性外断熱に施工出来る。
そして、屋根パネル１は、断熱層２Ｂが屋内を外断熱保護し、断熱層表面の通気用条溝Ｇ群は、遮熱反射層２Ｃによって輻射熱量を断熱層２Ｂに付加することなく屋外へ排出するため、断熱層２Ｂは、加熱及び蓄熱が抑制出来て、優れた外断熱機能を発揮する。
【００３０】
しかも、断熱層２Ｂの条溝Ｇ群を遮熱反射層２Ｃが遮熱保護するため、断熱層２Ｂは、条溝Ｇ群を配置したための断熱欠損が、遮熱反射層２Ｃで好適に補償出来、断熱層２Ｂの層厚Ｔ５（標準：１３５mm）を必要基準厚の下に、条溝Ｇ群の切欠配置が可能となり、屋根複合パネル１は、従来の屋根パネルの如く、通気層配置によるパネル厚の増大を招くことなく、パネル厚が小さく出来る。
そのため、本発明の屋根複合パネル１は、屋根厚の増大を招くことなく、通気性外断熱屋根を簡単に、且つ均質に構築出来る。
【００３１】
また、屋根複合パネル１は、工場生産の均質品として準備出来、野地垂木を兼用する縦桟２Ｗ，２Ｗ´を備えているため、木造建物の外張り断熱屋根構造は、各パネル１を、上下方向では断熱層相互を衝合当接し、左右方向では側縁部の縦桟２Ｗ´の衝合当接で小屋組み屋根に固定するだけで、均質で、信頼性の高い外断熱屋根構造となる。
そして、仕上がった屋根構造は、軒部８から棟部７へと、空気流ａが屋根面全面に均斉に貫流し、遮熱反射層２Ｃを周面に備えた条溝Ｇ群内では、屋根面からの侵入日射熱を輻射熱として棟部７から放出し、屋根面の過加熱による損傷を抑制し、断熱層２Ｂの蓄熱も抑制し、屋根下面を外断熱保護する。
【発明を実施するための最良の形態】
【００３２】
〔屋根複合パネルの構造（図１、図２）〕
屋根複合パネル１は、野地垂木を含む断熱層２Ｂ上に、遮熱反射層２Ｃを介して屋根下地材２Ａを面当接一体化したパネルであって、図１（Ａ）はパネル１の幅方向横断面図であり、図１（Ｂ）は図１（Ａ）の一部切欠部分拡大図である。
また、図２は、屋根複合パネル１の全体斜視図であって、図２（Ａ）は棟部用パネル１Ａを、図２（Ｂ）は中間部用パネル１Ｂを、図２（Ｃ）は軒部用パネルを示すものである。
【００３３】
即ち、屋根複合パネル１の断面構造は、図１（Ａ），（Ｂ）に示す如く、野地垂木の機能を有する、幅ａ１が４５．５mmの縦桟２Ｗが、断熱層２Ｂの幅中央に、幅ａ２が半幅の２２．７５mmの縦桟２Ｗ´が、断熱層２Ｂの両側面に、断熱層２Ｂに対して、下面と上面を面一形態で一体化しており、断熱層２Ｂの肉厚部２Ｔ、条溝Ｇ、及び縦桟２Ｗ，２Ｗ´の全上面を被覆する形態に、遮熱反射層２Ｃを貼着し、遮熱反射層２Ｃの上面から厚さＴ４（１２mm）の屋根下地材を接着剤２Ｄで張設し、釘ｎで屋根下地材２Ａを縦桟２Ｗ，２Ｗ´に打設一体化したものであり、遮熱反射層２Ｃは、厚さＴ２（８mm）であるため、縦桟２Ｗ，２Ｗ´の上部側面には、遮熱反射層２Ｃを受け入れる切欠Ｃｗを設けて、断熱層２Ｂの肉厚部２Ｔの幅ａ１、縦桟２Ｗの幅ａ１、及び条溝Ｇの幅ａ１を等幅とし、パネル幅ＡＷが９１０mm、パネル厚Ｔ３が１５５mmのパネルである。
【００３４】
そして、図２に示す如く、棟部用パネル１Ａ、中間部用パネル１Ｂ、軒部用パネル１Ｃは、共に、断面形状は同一、且つ同幅ＡＷ（９１０mm）であって、棟部用パネル１Ａは、断熱層長さＢＬが１８２０mmで、屋根下地材２Ａは、断熱層２Ｂに対し、上端（図面の右上端）が面一、下端が２０mm（ｄ１）突出したものであり、中間部パネル１Ｂは、屋根の棟から軒先までの寸法に応じて断熱層２Ｂの長さＢＬを決定するものであるが、標準タイプは、断熱層長さＢＬが１８２０mmで、屋根下地材２Ａは、断熱層２Ｂに対し、上端で２０mm（ｄ１）入り込み、下端で２０mm（ｄ１）突出したものであり、軒部用パネル１Ｃは、断熱層長さＢＬが１８２０mmで、屋根下地材２Ａが、断熱層２Ｂに対し、上端では、２０mm（ｄ１）入り込み、下端では３０mm（ｄ２）突出したものである。
【００３５】
〔屋根複合パネルの製作（図３）〕
図３はパネル１の構成部材説明図であって、（Ａ）は屋根下地材２Ａの斜視図、（Ｂ）は遮熱反射層２Ｃの斜視図、（Ｃ）は断熱層２Ｂの斜視図、（Ｄ）は遮熱反射層２Ｃの芯材平面図、（Ｅ）は遮熱反射層２Ｃの断面図である。
遮熱反射層２Ｃは、図３（Ｄ），（Ｅ）に示す如く、プラスチックシート２０ａに径１０mmの突起２０ｂ群を付設した芯材２０の２枚を、突起２０ｂ群面を対向して層着一体化し、表裏面にアルミ箔を層着した厚さ８mmの遮熱反射シート２Ｃを採用する。
該シート２Ｃは、ラミパックＳＤ−Ｗ（商品名）として酒井化学工業（株）から入手可能である。
【００３６】
断熱層２Ｂとしては、厚さＴ５が１３５mmの押出法ポリスチレンフォーム板（ＪＩＳＡ９５１１）の断熱板２Ｂを、幅４０９．５mm（ＢＷ）、長さ１８２０mm（ＢＬ）で用意し、断熱板の上面には、幅６１mm、深さＧｄが１５mmの条溝Ｇ群を幅２９mmの肉厚部間に切削配置する。
また、幅４５．５mm、厚さ１３５mmの木材の縦桟２Ｗと、幅２２．７５mm、厚さ１３５mmの木材の縦桟２Ｗ´を、図１（Ｂ）に示す如く、上半側面に、遮熱反射層２Ｃ嵌入用の幅８mmの切欠Ｃｗを加工して用意し、広幅の縦桟２Ｗを挟んで、図１（Ａ）に示す如く、両側に断熱板２Ｂを接着固定し、断熱層２Ｂの両側に半幅の縦桟２Ｗ´を接着固定して、縦桟２Ｗ，２Ｗ´を断熱板と一体化し、上面に条溝Ｇ用切削を備えた、図３（Ｃ）に示す、幅ＡＷが９１０mm、長さＢＬが１８２０mmの断熱層２Ｂを形成する。
【００３７】
また、遮熱反射層２Ｃには、図３（Ｂ）の如く、断熱層２Ｂ上面の凹凸に整合するように屈曲賦形した幅ＡＷが９１０mm、長さＢＬが１８２０mmの遮熱反射層２Ｃを用意する。
次いで、図１（Ｂ)に示す如く、断熱層２Ｂの、縦桟２Ｗ，２Ｗ´の上面、条溝Ｇ用の、切削側面及び底面に接着剤２Ｄを塗布し、屈曲賦形した遮熱反射層２Ｃを断熱層２Ｂの上面に面当接嵌合接着し、長さＢＬが１８２０mm、幅ＡＷが９１０mmの、遮熱反射層２Ｃを層着した断熱層２Ｂを得る。
そして、屋根下地材２Ａとしては、軽量（１０kg／ｍ２）、高強度（２４０kgf／cm２）で、１２mm厚の構造用合板（ＪＡＳＳ規格品）を、断熱層２Ｂと同幅（９１０mm）で用意する。
【００３８】
次いで、図２に示す如く、棟部用パネル１Ａは、屋根下地材２Ａを、断熱層２Ｂに対し、上端を面一に、下端をｄ１（２０mm）突出形態として、断熱層２Ｂ上の遮熱反射層２Ｃ上面に、図１（Ｂ）に示す如く、接着剤２Ｄを塗布し、屋根下地材２Ａを接着固定し、必要に応じて、断熱層２Ｂの縦桟２Ｗ，２Ｗ´部位で屋根下地材２Ａを縦桟２Ｗ，２Ｗ´に釘ｎで固定して、棟部用の屋根複合パネル１Ａを得る。
【００３９】
同様に、中間部用パネル１Ｂは、屋根下地材２Ａを、断熱層２Ｂに対し、上端ではｄ１（２０mm）入り込み、下端ではｄ１（２０mm）突出形態で、遮熱反射層２Ｃを備えた断熱層２Ｂと一体化固定し、中間部用の屋根複合パネル１Ｂを得る。
また、同様に、軒部用パネル１Ｃは、屋根下地材２Ａを、断熱層２Ｂに対し、上端ではｄ１（２０mm）入り込み、下端ではｄ２（３０mm）突出形態で、遮熱反射層２Ｃを備えた断熱層２Ｂと一体化固定し、軒部用の屋根複合パネル１Ｃを得る。
【００４０】
〔屋根複合パネルの張設（図４、図５）〕
図４（Ａ）は、小屋組み屋根に屋根複合パネル１を張設した屋根構造の、一部切欠斜視図であり、図４（Ｂ）は、屋根構造の一部切欠部分拡大斜視図であり、図５は屋根構造の断面説明図である。
小屋組み屋根は、図４（Ａ）に示す如く、慣用の手法によって構築し、柱２１Ａ、梁２２Ｄ、小屋束２２Ｃ、棟木２２Ａ、母屋２２Ｂ、軒桁２１Ｅを備えている。
【００４１】
そして、小屋組み屋根には、棟木２２Ａ、母屋２２Ｂ、軒桁２１Ｅ上に、屋根複合パネル１Ａ，１Ｂ，１Ｃ群を、上下方向では、断熱層２Ｂの衝合当接で、左右方向では、パネル側縁の半幅の縦桟２Ｗ´の衝合当接で配置し、各パネル１Ａ，１Ｂ，１Ｃは、縦桟２Ｗ，２Ｗ´部位で、屋根下地材２Ａ上面から、パネル下面の棟木２２Ａ、母屋２２Ｂ、軒桁２１Ｅへ、径５．３mm、長さ１８０mmの長ねじ（サンコーテクノ（株）のコーススレッド（商品名））を打込んで固定する。
該長ねじは、ＪＩＳＡ５５０８の木工事用鉄丸釘（許容剪断耐力：７０kgf／本）の５倍の強度を有するので、長ねじの打込み間隔が広く出来、軒桁２１Ｅ、母屋２２Ｂ、棟木２２Ａを割裂することも抑制出来、作業性も良い。
【００４２】
従って、張設した各パネル１Ａ，１Ｂ，１Ｃ群は、各パネルの上下当接部は相欠け接合となって、図５に示す如く、断熱層２Ｂ相互の水平（横方向）当接界面ｈｆは、屋根下地材２Ａ相互の水平当接界面ｈｆ´とずれて、屋根下地材２Ａで保護されるため、パネル１の上下当接部には気密テープ処理が不要となる。
また、各パネルの左右当接部は、側面が面一の各パネルの縦桟２Ｗ´の衝合当接であるため、幅ａ２（２２．７５mm）の縦桟２Ｗ´の当接でパネル中央の幅ａ１（４５．５mm）と同幅となって、屋根面は等幅（４５．５mm）の垂木（縦桟）群の配置となり、屋根強度の均斉を保証する。
【００４３】
そして、パネル１の左右当接部、即ち縦方向当接界面ｖｆには、図４（Ａ）に示す如く、慣用の気密テープ１４Ａを貼着して気密処理する。
また、軒部用パネル１Ｃの下端は、鼻隠し２３Ａの上面の切欠Ｃ２３に、屋根下地材２Ａの下端突出ｄ２（標準：３０mm）の、先端の半寸１５mmを載置して釘打ちし、鼻隠し２３Ａとパネル断熱層下端面Ｄｓとの間に、下端突出ｄ２の半寸（１５mm）の通気用の間隔ａｄを形成する。
【００４４】
屋根仕上げは、慣用の手法で、屋根パネル面上に、防水シート９、屋根仕上材１０を配置し、棟部７では、棟下地材２０Ｃ、棟換気材２０Ｂ、棟材２０Ａで慣用の換気構造を形成し、鼻隠し２３Ａの間隔ａｄ（１５mm）から流入する上昇空気流ａを、パネル条溝Ｇ（深さＧｄ：１５mm、幅ａ１：４５．５mm）を経て棟部７から排出する構造とする。
従って、本実施例で構築した屋根構造は、パネルの縦桟２Ｗ，２Ｗ´が垂木を兼用するため、小屋組み屋根へのパネル群の張設が、縦桟２Ｗ，２Ｗ´での長ねじによる固定となり作業性良く実施出来、通気用条溝Ｇ内に遮熱反射層２Ｃを配置したため、屋根厚を大とすることなく、断熱機能の優れた通気構造屋根となった。
【００４５】
〔その他〕
遮熱反射層２Ｃとして、実施例では、ラミパックＳＤ−Ｗ（商品名）を採用したが、遮熱反射層２Ｃは、条溝Ｇ内に入り込む熱線を反射すれば良いものであるため、ラミパックＳＤ−Ｗ（商品名）用の芯材２０の２枚を積層一体化して、表面のみにアルミ箔を貼着したものも、遮熱性及び断熱性で同効機能を奏するシートとして採用出来る。
【００４６】
また、慣用の、プラスチックフィルムにアルミ箔を層着した、アルミフィルムも条溝Ｇ内の熱線を反射して輻射熱として排出するのに有効である。
この場合は、アルミフィルムが可撓性の薄いシートであるため、実施例の如く、断熱層の、条溝用切削幅と、残在肉厚部用幅との配置を異寸法とする必要なく、条溝Ｇ用切削幅、肉厚部用幅を同幅で加工出来、且つ、縦桟２Ｗ，２Ｗ´にも、遮熱反射層用の切欠Ｃｗを配置する必要がない。
【図面の簡単な説明】
【００４７】
【図１】本発明の屋根複合パネルの説明図であって、（Ａ）は横断面図、（Ｂ）は（Ａ）の部分拡大図である。
【図２】屋根複合パネルの斜視図であって、（Ａ）は棟部用パネルを、（Ｂ）は中間部用パネルを、（Ｃ）は軒部用パネルを示す図である。
【図３】屋根複合パネルの構成部材説明図であって、（Ａ）は屋根下地の斜視図、（Ｂ）は遮熱反射層の斜視図、（Ｃ）は断熱層の斜視図、（Ｄ）は遮熱反射層構成芯材の平面図、（Ｅ）は遮熱反射層の断面図である。
【図４】屋根複合パネルの使用状態説明図であって、（Ａ）は一部切欠斜視図、（Ｂ）は一部切欠部分拡大斜視図である。
【図５】本発明の屋根構造の一部切欠断面図である。
【図６】従来例図であって、（Ａ）は従来例１の１部切欠要部斜視図、（Ｂ）は従来例２の一部切欠斜視図、（Ｃ）は従来例３の斜視図である。
【符号の説明】
【００４８】
１      屋根複合パネル（屋根パネル、パネル）
１Ａ    棟部用パネル（屋根パネル、パネル）
１Ｂ    中間部用パネル（屋根パネル、パネル）
１Ｃ    軒部用パネル（屋根パネル、パネル）
２Ａ    屋根下地材
２Ｂ    断熱層（断熱板）
２Ｃ    遮熱反射層（遮熱反射シート）
２Ｄ    接着剤
２Ｓ    層着面
２Ｔ    肉厚部
２Ｗ，２Ｗ´    縦桟
７      棟部
８      軒部
９      防水シート
１０    屋根仕上材
１４Ａ  気密テープ
２０    芯材
２０ａ  プラスチック樹脂シート（シート）
２０ｂ  突起
２０ｃ  アルミ箔
２０Ａ  棟材
２０Ｂ  棟換気材
２０Ｃ  棟下地材
２１Ａ  柱
２１Ｅ  軒桁
２２Ａ  棟木
２２Ｂ  母屋
２２Ｃ  小屋束
２２Ｄ  梁
２２Ｅ  転び止め
２３Ａ  鼻隠し
ａ      空気流（空気）
ａｄ    間隔
Ｃｗ，Ｃ２３    切欠
ＤＳ    断熱層下端面
Ｇ      条溝（通気用条溝）
Ｇｄ    条溝深さ
ｈｆ，ｈｆ´  水平当接界面（横方向当接界面）
ｎ      釘
Ｒ      屋根
ｖｆ    縦方向当接界面
ｗｆ    木造躯体
【図１】
2010071041.tif 000003
【図２】
2010071041.tif 000004
【図３】
2010071041.tif 000005
【図４】
2010071041.tif 000006
【図５】
2010071041.tif 000007
【図６】
2010071041.tif 000008